(57)【要約】【課題】手押し車全体の上下長さが短くなり、コンパクトな大きさに縮小又は折畳むことができ、所望する形態に変形する操作が簡単且つ容易に行える手押し車を提供する。【解決手段】操作レバー１３を手で引下げ操作し、前後枠体３，４を前後方向に開角しながら、前部枠体３を背部枠体５に沿って前側斜め下方に引下げ、走行形態に組み立てる。且つ、座枠１８は着座するときに前方に回動して使用する。一方、座枠１８を前部枠体３に沿う状態に折畳んだ後、操作レバー１３を把持する手で解除レバー１５をロック解除操作し、操作レバー１３を手で引上げ操作して、前後枠体３，４を所定角度に閉角しながら、前部枠体３の略全長を背部枠体５に沿う状態に引き寄せて折畳み形態に変形する。【選択図】  図３
2005313796.tif 000002
【特許請求の範囲】
【請求項１】
車本体を構成する左右一対の前部枠体及び後部枠体、背部枠体を連結し、該前後枠体の下端部に車輪を枢着し、背部枠体の上端部にハンドル部を設けた走行形態及び折畳み形態に変形可能な手押し車であって、
上記後部枠体の上端部を、上記前部枠体の略中間部に連結し、
上記背部枠体の下端部を、上記前部枠体の下端側に上下動可能に取付けた可動部材に連結し、
上記前部枠体に取付けた可動部材と、上記後部枠体の略中間部とを連結杆で連結して、該前後枠体を前後方向に向けて所定角度に閉角可能又は開角可能に設け、
上記前部枠体の上端部と、上記背部枠体の中間部とを可動部材で連結して、該前部枠体の略全長を上記背部枠体に沿う状態に引き寄せられる上昇位置と、前側斜め下方に引下げられる降下位置とに上下移動可能に設け、
上記前部枠体を上記背部枠体に沿う方向に上下動する操作部を、該前部枠体の上端部に設けた
手押し車。
【請求項２】
上記前部枠体の上端側前面部に取付けた座枠を、該座枠上に人の着座が可能な前向き状態と、該前部枠体に沿う状態に折畳み可能な上向き状態とに上下回動可能に設けた
請求項１記載の手押し車。
【請求項３】
上記背部枠体に沿って前側斜め下方に引下げられた降下位置に上記前部枠体を固定する枠体固定手段を、該前部枠体と背部枠体との間に設けた
請求項１記載の手押し車。
【請求項４】
上記枠体固定手段による各枠体の固定を解除する固定解除手段を、上記操作部近傍に設けた
請求項３記載の手押し車。
【発明の詳細な説明】
【技術分野】
【０００１】
この発明は、例えば身障者や老人の歩行訓練、機能回復、買い物、散歩等に用いられるシルバーカーや老人車、或いは、ベビーカーやショッピングカー、荷物運搬用台車、車椅子等に用いられる手押し車に関する。
【背景技術】
【０００２】
従来、上述の手押し車としては、例えば左右の後脚杆にわたり、その両端部で該後脚杆上をスライドするスライド部材と回動可能に取付けると共に、その中央部で折り曲げ自在な座杆支持杆及び左右の後脚杆にわたり、その両端部で該後脚杆と回動可能に取付けると共に、その中央部で折り曲げ自在であり、更にその下部において座杆支持杆と回動自在に連結されている座杆を有する前後方向及び左右方向に折畳み可能な特許文献１の老人車と、ハンドルフレームを前方フレームの上端部に設けた特許文献２の手押し車とがある。
【０００３】
しかし、上述の特許文献１の老人車は、前後方向及び左右方向に折畳み可能であるが、ハンドルを前脚杆上端に取付けているため、ハンドル及び前脚杆の上下長さを伸縮することが不可能である。且つ、特許文献２の手押し車は、前後方向に折畳み可能であるが、前方フレーム自体の長さを伸縮することが不可能であるり、長さ方向に嵩張るため、運搬及び保管するときに、細長い収容スペースが必要である。
【０００４】
【特許文献１】特許第３０８０９４９号公報。
【特許文献２】特開２００４‐１７７３６号公報。
【発明の開示】
【発明が解決しようとする課題】
【０００５】
この発明は上記問題に鑑み、車本体を構成する前後枠体を所定角度に閉角しながら、前部枠体の略全長を背部枠体に沿う状態に引き寄せて折畳むことにより、折畳み時における手押し車全体の上下長さが短くなり、コンパクトな大きさに縮小又は折畳むことができと共に、所望する形態に変形する操作が簡単且つ容易に行える手押し車の提供を目的とする。
【課題を解決するための手段】
【０００６】
この発明は、車本体を構成する左右一対の前部枠体及び後部枠体、背部枠体を連結し、該前後枠体の下端部に車輪を枢着し、背部枠体の上端部にハンドル部を設けた手押し車であって、上記後部枠体の上端部を、上記前部枠体の略中間部に連結し、上記背部枠体の下端部を、上記前部枠体の下端側に上下動可能に取付けた可動部材に連結し、上記前部枠体に取付けた可動部材と、上記後部枠体の略中間部とを連結杆で連結して、該前後枠体を前後方向に向けて所定角度に閉角可能又は開角可能に設け、上記前部枠体の上端部と、上記背部枠体の中間部とを可動部材で連結して、該前部枠体の略全長を上記背部枠体に沿う状態に引き寄せられる上昇位置と、前側斜め下方に引下げられる降下位置とに上下移動可能に設け、上記前部枠体を上記背部枠体に沿う方向に上下動する操作部を、該前部枠体の上端部に設けた手押し車であることを特徴とする。
【０００７】
上記前部枠体の下端側に取付けられる可動部材は、例えばスライドステイやスライダー等の摺動部材で構成することができる。また、前部枠体の上端部と背部枠体の中間部とを連結する可動部材は、例えば側面視略Ｌ字状形状の部材や杆、棒、枠等で構成することができるが、背部枠体に沿う方向に前部枠体の上下動が許容される形状であれば、側面視略Ｌ字状形状以外の形状を有する部材で連結することもできる。また、操作部は、例えば操作レバーや操作杆、操作棒、操作枠等で構成することができるが、左右一対の背部枠体の上端部間を連結して構成することもできる。
【０００８】
つまり、操作部を手で引下げ操作して、可動部材を前部枠体に沿って上方に移動させ、可動部材を下向きに回動させると共に、前後枠体を前後方向に開角しながら、前部枠体を背部枠体に沿って前側斜め下方に引下げて走行形態に変形する。一方、操作部のみを手で引上げ操作するか、車本体を持上げながら、操作部を手で引上げ操作する等して、可動部材を前部枠体に沿って下方に移動させ、可動部材を上向きに回動させると共に、前後枠体を所定角度に閉角しながら、前部枠体を背部枠体に沿ってハンドル部側に移動させ、前部枠体の略全長を背部枠体に沿う状態に引き寄せて折畳み形態に変形する。
【０００９】
実施の形態として、上記前部枠体の上端側前面部に取付けた座枠を、該座枠上に人の着座が可能な前向き状態と、該前部枠体に沿う状態に折畳み可能な上向き状態とに上下回動可能に設けることができる。つまり、走行形態に変形したとき、座枠を、前向き方向に回動して人の着座するのに使用する。折畳み形態に変形したとき、前部枠体に沿う上向き方向に回動する。
【００１０】
また、上記背部枠体に沿って前側斜め下方に引下げられた降下位置に上記前部枠体を固定する枠体固定手段を、該前部枠体と背部枠体との間に設けることができる。つまり、前後枠体を前後方向に向けて所定角度に開角し、前部枠体を背部枠体に沿って前側斜め下方に引下げられた降下位置に枠体固定手段で固定して、走行形態を維持する。上述の枠体固定手段は、例えばロック板及び凹部、軸部、フック及びピン、係止凹部及び係止凸部、或いは、カム機構やオルタネイト機構、その他の固定機構等で構成することができる。
【００１１】
また、上記枠体固定手段による各枠体の固定を解除する固定解除手段を、上記操作部近傍に設けることができる。つまり、操作部を把持する手で固定解除手段を解除操作することができる。その固定解除手段は、例えば解除レバーや解除杆、解除棒、解除枠、その他の解除機構等で構成することができる。
【発明の効果】
【００１２】
この発明によれば、操作部のみを手で引上げ操作するか、車本体を持上げながら、操作部を手で引上げ操作する等して、前後枠体を所定角度に閉角しながら、前部枠体の略全長を背部枠体に沿う状態に引き寄せて折畳み形態に変形するので、前後枠体を前後方向に折畳む動作と、前部枠体及び背部枠体を上下方向に縮める動作とが同時に行える。且つ、操作部を手で引下げ操作して、前後枠体を所定角度に開角しながら、前部枠体を背部枠体に沿って前側斜め下方に引下げて走行形態に変形するので、手押し車全体を走行形態及び折畳み形態の所望する形態に変形する操作が簡単且つ容易に行える。且つ、折畳み時において、前部枠体の略全長を背部枠体に沿う状態に引き寄せて、前部枠体及び背部枠体を互いに重ね合わせるので、従来例に比べて手押し車全体の上下長さが短くなり、コンパクトな大きさに縮小及び折畳むことができる。
【発明を実施するための最良の形態】
【００１３】
この発明は、折畳み時における手押し車全体の上下長さが短くなり、コンパクトな大きさに縮小又は折畳むことができると共に、所望する形態に変形する操作が簡単且つ容易に行えるという目的を、車本体を構成する前後枠体を所定角度に閉角又は開角しながら、前部枠体の略全長を背部枠体に沿う状態に引き寄せるか前側斜め下方に引下げることで達成することができる。
【実施例】
【００１４】
この発明の一実施例を以下図面に基づいて詳述する。
【００１５】
図面は、老人が歩行するときに用いられる手押し車を示し、図１、図２、図３、図４に於いて、この手押し車１は、車本体２を構成する左右の前部枠体３，３と、後部枠体４，４と、背部枠体５，５とを連結して、車本体２全体を走行形態と折畳み形態とに変形可能に設けている。且つ、左右一対の前部車輪６，６（キャスター）を、後述する首振り機構２５を介して前部枠体３，３の下端に軸支し、左右一対の後部車輪７，７を、後述する制動機構３３を介して後部枠体４，４の下端に軸支している。
【００１６】
上述の後部枠体４，４の上端部又はその上端部に固定した支持部材８，８上端を、前部枠体３，３の略中間部よりも上位側に連結し、後部枠体４，４の略中間部（支持部材８，８下端）に枢着した連結杆９，９の端部を、前部枠体３，３の中間部よりも下端側外面に上下移動可能又は上下摺動可能に取付けたスライドステイ型の可動部材１０，１０に連結し、その支持部材８，８間及び可動部材１０，１０間を連結杆１１でそれぞれ連結している。
【００１７】
且つ、側面視略く字状に形成した背部枠体５，５の下端を可動部材１０，１０に枢着し、側面視略Ｌ字状に形成した可動部材１２，１２の前端を前部枠体３，３の上端部に枢着し、可動部材１２，１２の後端を背部枠体５，５の中間部に枢着して、前部枠体３，３を背部枠体５，５に沿う状態に引き寄せられる上昇位置と、前側斜め下方に引下げられる降下位置とに上下移動可能に設けている。なお、可動部材１２は、前部枠体３を前側斜め下方に引下げられた降下位置に規制する。
【００１８】
且つ、袋状のバッグＡ（又はカバン、ケース等）が着脱可能に取付けられるホルダー１３ａ，１３ａを操作レバー１３の両端中間部に取付け、前部枠体３を背部枠体５に沿う方向に引上げ操作する操作レバー１３の両端中間部を前部枠体３，３の内側に固定し、その両端中間部間を連結杆１３ｂで連結している。
【００１９】
且つ、折畳み機構を構成する可動部材１２と操作レバー１３との対向端部間に枢着したロック板１４は、図５、図６にも示すように、操作レバー１３の内側に取付けた解除レバー１５の引上げ操作（図６中仮想線で示す）により、背部枠体５，５の内側に突出する軸部１６，１６に係止される係止角度と、その係止が解除される解除角度とに上下回動され、操作レバー１３の両端部と解除レバー１５の両端部との間に張架したコイルバネ１７は、ロック板１４の凹部１４ａを軸部１６に対して係止される方向に回動付勢している。つまり、コイルバネ１７の付勢力でロック板１４の凹部１４ａを、背部枠体５，５の内側に突出する軸部１６，１６に係止して、手押し車１全体を走行形態に固定する。一方、解除レバー１５の引上げ操作でロック板１４の凹部１４ａを背部枠体５の軸部１６から離脱させると、ロック固定が解除され、手押し車１全体を折畳み形態に変形することができる。
【００２０】
且つ、前部枠体３，３の前面側上端部に取付けた座枠１８は、人の着座が可能な大きさ及び形状に形成され、その座枠１８の両端を、前部枠体３，３の内側中間部に上下回動可能に枢着し、手で把持可能な形状を有するホルダー１９，１９を座枠１８の前側両端に取付け、座枠１８の起倒動作をガイドするアーム２０，２０の基端を、座枠１８の外側中間部に枢着し、アーム２０，２０の他端に形成した長孔２０ａ，２０ａに、座枠１８両端よりも上位の前部枠体３，３の内側中間部に突設した軸部２１，２１を係止して、座枠１８を、前部枠体３，３に沿う状態に折畳み可能な上向き状態と、人の着座が可能な前向き状態とに上下回動自在に設けている。
【００２１】
且つ、例えば布地や合成樹脂等で形成された柔軟性及び可撓性を有する着座シート１８ａを、操作レバー１３の連結杆１３ｂと座枠１８の遊端側枠部との間に架設している。この着座シート１８ａは、座枠１８を前向きに回動すると着座可能な大きさに展開され、座枠１８を上向きに回動すると折畳まれる。なお、着座シート１８ａの代わりに、例えば複数の孔部を形成するか、ネット状に形成したシートを用いることもできる。
【００２２】
且つ、座枠１８を前向き状態に回動したとき、アーム２０，２０の長孔２０ａ，２０ａ基端に形成した凹部２０ｂ，２０ｂに、前部枠体３，３の内側に突出した軸部２１，２１が係止され、座枠１８を前向き状態に回動規制する。その座枠１８両端とアーム２０，２０基端との間に張架したコイルバネ２２，２２は、アーム２０，２０の凹部２０ｂ，２０ｂを前部枠体３，３の軸部２１，２１に係止される方向及び上向き状態に復帰する方向に回動付勢している。且つ、アーム２０，２０基端に固定したレバー２３，２３は、アーム２０，２０の凹部２０ｂ，２０ｂを前部枠体３，３の軸部２１，２１に係止するとき、アーム２０，２０の凹部２０ｂ，２０ｂを前部枠体３，３の軸部２１，２１から離脱させるとき、コイルバネ２２，２２の付勢力に抗して回動操作され、アーム２０，２０の基端側近傍間は連結杆２４で連結している。なお、座枠１８下面には、袋状のバッグＢ（又はカバン、ケース等）が着脱可能に取付けられる。
【００２３】
前述の前部枠体３，３下端部に設けた首振り機構２５は、左右対称に設けられているので一方の機構を図に基づいて詳述する。図７にも示すように、車輪６が枢着された下側支持部材２６を、前部枠体３，３下端部に固定した上側支持部材２７に対して水平回転可能に取付けている。また、左右車輪６，６の下側支持部材２６，２６を、図７中仮想線で示す連結杆２８で一体的に首振り可能に連結してもよい。且つ、車輪６が首振り不可にロック固定されるロック部材２９を、上側支持部材２７の前側外面に対して上下回動可能に取付け、下側支持部材２６の上端側前面に形成した突起２６ａと、上側支持部材２７の下端側前面に形成した突起２７ａとが上下に略一致させたまま係止される孔部２９ａを、ロック部材２９の下端側前面に形成している。
【００２４】
つまり、ロック部材２９の上端側を引上げ操作して、下側支持部材２６の突起２６ｃ及び上側支持部材２７の突起２７ｃを孔部２９ａに係止すると、左右車輪６，６が略正面向けた状態にロック固定され、首振り不可となる。一方、ロック部材２９の上端側を押下げ操作して、下側支持部材２６の突起２６ｃ及び上側支持部材２７の突起２７ｃをロック部材２９の孔部２９ａから抜き取ると、前側車輪６，６のロック固定が解除され、所望する方向に首振り可能となる。
【００２５】
且つ、上側支持部材２７及びロック部材２９の内側対向面に形成した互いに係止される凹部３０ａと凸部３０ｂとは、ロック部材２９を、前側車輪６，６がロック固定される引上げ角度と、ロック固定が解除される押下げ角度とに回動停止する。
【００２６】
前述の後部枠体４，４下端部に設けた制動機構３３は、左右対称に設けているので一方の機構を図に基づいて詳述する。図８、図９に示すように、車輪７の制動側内周面に対して圧接される制動部材３４を後部枠体４下端部に対して上下移動可能に取付け、車輪７に対して制動力を付与する接触抵抗の大きい合成ゴム製のブレーキパッド３４ａを制動部材３４の外端側上部に取付けている。且つ、後述するブレーキ操作機構４１に連結した線条体３５を、後部枠体４内部又は外部に沿って配線したチューブ３６に挿入し、そのチューブ３６下端を、制動部材３４上部の後部枠体４下端部に固定した規制部材３７に連結し、チューブ３６下端から導出した線条体３５下端を制動部材３４の内端側上部に連結している。また、接触抵抗の大きい合成ゴム製のパッドを車輪７の制動側内周面に装着してもよい。
【００２７】
且つ、制動部材３４と規制部材３７との間に装填又はその間の線条体３５に巻回したコイルバネ３８は、車輪７の制動側内周面から制動部材３４のブレーキパッド３４ａが離脱され、車輪７の固定側外周面に形成したリブ部７ａ…間に制動部材３４の突起３４ｂが係止される方向に付勢している。また、規制部材３７の取付け位置を後部枠体４に沿った所望する位置に変更すると、線条体３５の導出長さ及びコイルバネ３８に蓄積される復元力を可変調節することができる。また、左右の規制部材３７，３７間を連結杆３７ａで連結しているが、手押し車１を手押し操作する利用者の足の前後動が妨げられるような場合、連結杆３７ａを足の前後動を妨げられない高さに架設するか、取り除く等してもよい。
【００２８】
且つ、制動部材３４の外端側下部に形成した突起３４ｂは、車輪７の固定側外周面（又は軸部外周面）に形成したリブ部７ａ…間に係止され、そのリブ部７ａ…は、車輪７の内側中心部を中心として円周方向に対して所定間隔に隔てて略放射状に形成している。また、前側車輪６を上述の制動機構３３で制動することもできる。
【００２９】
前述の背部枠体５，５上端部に取付けたハンドル部３９は、利用者の身体前面（胸や腹、腰等）に沿う形状で、正面から見て略アーチ形状又は略門形状となる曲面形状に形成すると共に、利用者が把持する部分を、接触抵抗の大きいゴム製の滑り止め部材で被覆するか、滑り止め抵抗が付与される凹凸面等に形成している。且つ、背部枠体５，５の上端部を、ハンドル部３９の中空形状に形成した両端部に上下動可能に挿入し、ハンドル部３９の両端部に取付けた調節ネジ４０で締付け固定して、ハンドル部３９を、利用者が把持するに適した高さに上下調節（伸縮調節）する。また、例えばラチットやピン等で高さ調節してもよい。
【００３０】
且つ、ハンドル部３９両端部に設けたブレーキ操作機構４１は、左右対称に設けているので一方の機構を図に基づいて詳述する。図１０、図１１にも示すように、上述のチューブ３６上端を、ハンドル部３９両端部に固定したケース４２内部に挿入して、ケース４２内部に上下移動可能に保持された牽引部材４３に連結し、そのチューブ３６上端から導出した線条体３５上端を、ケース４２内部に前後回転可能に軸支された牽引部材４４に連結し、牽引部材４３上端を、ケース４２内部に斜め移動可能に保持された誘導部材４５下端に連結している。
【００３１】
且つ、誘導部材４５の上端両側部に突出した軸部４５ａ，４５ａと、下端両側部に突出した軸部４５ｂ，４５ｂとを、ケース４２の両側内壁面に形成した溝部４２ａ，４２ａに上下移動可能に係合し、ハンドル部３９前面に取付けられるロックレバー４６の両端部を、左右ケース４２，４２の誘導部材４５，４５上端に連結し、ロックレバー４６の手前側に取付けられるブレーキレバー４７の両端部を、左右ケース４２，４２の牽引部材４４，４４上端に連結している。なお、ブレーキレバー４７は、例えばバネやゴム等の弾性体で制動解除方向に回動付勢している。
【００３２】
つまり、ブレーキ操作機構４１のブレーキレバー４７を、図１０仮想線に示す制動方向に回動操作し、線条体３５を介して制動機構３３の制動部材３４を上方に引上げ、図９仮想線に示す制動部材３４のブレーキパッド３４ａを、コイルバネ３８の付勢力に抗して車輪７の制動側内周面に圧接し、その圧接部分に生じる接触抵抗で制動（回転停止）する。一方、ブレーキレバー４７を、図１０実線に示す制動解除方向に回動操作すると、制動部材３４は、コイルバネ３８の付勢力で下方に押下げられ、図８実線に示す車輪７の制動側内周面から制動部材３４のブレーキパッド３４ａが離間して制動解除されるので、車輪７が回転可能となる。
【００３３】
一方、ブレーキ操作機構４１のロックレバー４６を、図１１実線に示すロック方向に回動操作して、牽引部材４３及び誘導部材４５を介して、線条体３５が挿入されたチューブ３６全体を上方に引上げ牽引して略湾曲状態から略直線状態に緊張させ、その緊張に対応する長さだけ線条体３５を弛ませるか、線条体３５を突出すると、制動機構３３の制動部材３４は、部材自体の自重又はコイルバネ３８の付勢力で下方に押下げられ、図９実線に示す制動部材３４の突起３４ｂが車輪７の固定側外周面に形成したリブ部７ａ…間に係止され、車輪７が回転不可にロック固定される。
【００３４】
且つ、牽引部材４３に連結した誘導部材４５が傾き状態に回動しながら上方に移動し、ケース４２の溝部４２ａ上端に誘導部材４５の軸部４５ａが係合し、ケース４２の溝部４２ａ中間に誘導部材４５の軸部４５ｂが係合して、ロックレバー４６をロック固定状態に回動規制すると共に、牽引部材４４の下端側係止部に誘導部材４５上端が係止して、ブレーキレバー４７を回動固定するので、牽引部材４３が降下せず、チューブ３６全体が上方に引上げた状態に維持され、車輪７のロック状態を維持する。
【００３５】
次に、ロックレバー４６を、図１０実線に示すロック解除方向に回動操作すると、牽引部材４４の下端側係止部から誘導部材４５上端が離脱し、ブレーキレバー４７の回動固定が解除される。且つ、牽引部材４３に連結した誘導部材４５が起立状態に回動復帰しながら下方に移動し、ケース４２の溝部４２ａ中間に誘導部材４５の軸部４５ａが係合し、ケース４２の溝部４２ａ下端に誘導部材４５の軸部４５ｂが係合して、ロックレバー４６をロック解除状態に回動規制するので、牽引部材４３の降下によりチューブ３６全体が湾曲状態に復元し、線条体３５がチューブ３６内部に沿う状態に再び収容され、車輪７のリブ部７ａ…間から制動部材３４の突起３４ｂが抜き取られ、車輪７のロック固定が解除される。
【００３６】
図示実施例は上記の如く構成するものにして、以下、手押し車１を走行形態及び折畳み形態に変形する方法を説明する。
【００３７】
先ず、手押し車１を走行形態に変形する場合、一方の手でハンドル部３９を把持し、他方の手で操作レバー１３を引下げ操作し、可動部材１２，１２の前端側を下向きに回動させながら、前部枠体３，３を背部枠体５，５に沿って前側斜め下方に引下げ、可動部材１０，１０を前部枠体３，３に沿って上方に移動させながら、前部枠体３，３及び後部枠体４，４を前後方向に向けて所定角度に開角し、左右一対のロック板１４の凹部１４ａを背部枠体５の軸部１６に係止して、手押し車１全体を、図１に示す走行形態に組み立てる。且つ、図２に示す座枠１８を前方に向けて手で引下げ回動し、着座シート１８ａを着座可能な大きさに展開すると共に、アーム２０，２０の凹部２０ｂ，２０ｂを前部枠体３，３の軸部２１，２１に係止して、老人が着座するのに使用する。
【００３８】
次に、手押し車１を折畳み形態に変形する場合、座枠１８のレバー２３を手で引上げ回動し、アーム２０，２０の凹部２０ｂ，２０ｂを前部枠体３，３の軸部２１，２１から離脱させながら上向きに回動して、座枠１８及び着座シート１８ａを、図３に示す前部枠体３，３に沿う状態に折畳んだ後、操作レバー１３を手で把持して、図３、図４に示すように上方に引上げ操作するか、車本体２を持上げながら、操作レバー１３を手で引上げ操作する。且つ、操作レバー１３を把持する手で解除レバー１５を引上げ操作（図６中仮想線で示す）し、左右一対のロック板１４の凹部１４ａを背部枠体５の軸部１６から離脱させてロック解除（図５中仮想線で示す）し、可動部材１２，１２の前端側を上向きに回動させながら、前部枠体３，３を背部枠体５，５に沿ってハンドル部３９側に移動させ、前部枠体３，３及び後部枠体４，４を所定角度に閉角する。同時に、可動部材１０，１０を前部枠体３，３に沿って下方に移動させながら、前部枠体３，３及び後部枠体４，４を互いに近接し、前部枠体３，３の略全長を背部枠体５，５に沿う状態に引き寄せて、手押し車１全体を、図３に示す折畳み形態に変形する。
【００３９】
以上のように、操作レバー１３のみを手で引上げ操作するか、車本体２を持上げながら、操作レバー１３を手で引上げ操作する等して、前部枠体３，３及び後部枠体４，４を所定角度に閉角しながら、前部枠体３，３を背部枠体５，５に沿う状態に引き寄せて折畳み形態に変形するので、前部枠体３，３及び後部枠体４，４を前後方向に折畳む動作と、前部枠体３，３及び背部枠体５，５を上下方向に縮める動作とが同時に行える。且つ、操作レバー１３を手で引下げ操作して、前部枠体３，３及び後部枠体４，４を所定角度に開角しながら、前部枠体３，３を背部枠体５，５に沿って前側斜め下方に引下げて走行形態に変形するので、手押し車１全体を走行形態及び折畳み形態の所望する形態に変形する操作が簡単且つ容易に行え、操作性が向上する。
【００４０】
且つ、折畳み時において、前部枠体３，３の略全長を背部枠体５，５に沿う状態に引き寄せて、前部枠体３，３及び背部枠体５，５を互いに重ね合わせるので、従来例に比べて折畳み時における手押し車１全体の上下長さが短くなり、コンパクトな大きさに縮小及び折畳むことができる。且つ、操作レバー１３を把持する手で解除レバー１５を解除操作することができるので、手押し車１を折畳み形態に変形するとき、解除レバー１５をロック解除する操作が簡単且つ容易に行える。
【００４１】
この発明の構成と、上述の実施例との対応において、  
この発明の操作部は、実施例の操作レバー１３に対応し、  
以下同様に、  
枠体固定手段は、ロック板１４と、凹部１４ａと、軸部１６とに対応し、  
固定解除手段は、解除レバー１５に対応するも、  
この発明は、上述の実施例の構成のみに限定されるものではない。
【産業上の利用可能性】
【００４２】
この発明の手押し車の構成は、例えばベビーカーやショッピングカー、荷物運搬用台車、車椅子等にも利用することができる。
【図面の簡単な説明】
【００４３】
【図１】走行形態の手押し車を示す側面図。
【図２】座枠の前方回動状態を示す側面図。
【図３】折畳み形態の手押し車を示す側面図。
【図４】バックが取り外された手押し車を示す正面図。
【図５】折畳み機構を示す側面図。
【図６】操作レバーの取付け状態を示す正面図。
【図７】前部車輪の首振り機構を示す側面図。
【図８】制動機構による後部車輪の制動解除状態を示す正面図。
【図９】制動機構による後部車輪のロック状態を示す正面図。
【図１０】ブレーキ操作機構による制動解除状態を示す側面図。
【図１１】ブレーキ操作機構によるロック状態を示す側面図。
【符号の説明】
【００４４】
１…手押し車
２…車本体
３…前部枠体
４…後部枠体
５…背部枠体
６，７…車輪
９…連結杆
１０，１２…可動部材
１３…操作レバー
１４…ロック板
１４ａ…凹部
１５…解除レバー
１６…軸部
１８…座枠
１８ａ…着座シート
３９…ハンドル部
【図１】
2005313796.tif 000003
【図２】
2005313796.tif 000004
【図３】
2005313796.tif 000005
【図４】
2005313796.tif 000006
【図５】
2005313796.tif 000007
【図６】
2005313796.tif 000008
【図７】
2005313796.tif 000009
【図８】
2005313796.tif 000010
【図９】
2005313796.tif 000011
【図１０】
2005313796.tif 000012
【図１１】
2005313796.tif 000013